(57)【要約】      （修正有）【課題】価格を上げること無く高級感を出すことができるとともに、曲がり、反りも防止でき、更に環境にも配慮した額を提供すること。【解決手段】複数本の長尺状のフレーム材を略多角形状に枠組みすることにより形成されるフレーム２と、該フレーム２内に支持される透明体５と、該透明体５の裏面側に重ね合わされる配置で前記フレーム２内に支持される裏板６と、を具備する額であって、前記フレーム２は、フレーム本体３と、該フレーム本体３を被覆した樹脂フィルム４とにより構成されることを特徴としており、これにより、高級感の出る樹脂フィルムを使用することでフレーム材の素材に関係なく高級感のある額にすることができ、また、フレームが湿気等を吸収したり、フレームから有害物質等が放出されることを有効に防止することが可能である。【選択図】図２
0003105754.tif 000002
【実用新案登録請求の範囲】
【請求項１】
複数本の長尺状のフレーム材を略多角形状に枠組みすることにより形成されるフレーム（２）と、
該フレーム（２）内に支持される透明体（５）と、
該透明体（５）の裏面側に重ね合わされる配置で前記フレーム（２）内に支持される裏板（６）と、を具備する額であって、
前記フレーム（２）は、フレーム本体（３）と、該フレーム本体（３）を被覆した樹脂フィルム（４）とにより構成されることを特徴とする額。
【請求項２】
前記樹脂フィルム（４）がＰＰフィルムであることを特徴とする請求項１に記載の額。
【請求項３】
前記樹脂フィルム（４）がＰＥＴフィルムであることを特徴とする請求項１に記載の額。
【考案の詳細な説明】
【技術分野】
【０００１】
本考案は、写真、絵画等を挟み込んで支持するための額に係り、より詳しくは、フレームをＰＰフィルム、ＰＥＴフィルム等の樹脂フィルムで被覆したことを特徴とする額に関する。
【背景技術】
【０００２】
従来から、写真、絵画等を壁等に飾る場合には額が用いられている。即ち、この額は、長尺状のフレーム材を多角形状に枠組みすることにより構成されたフレームと、この多角形状に枠組みされたフレーム内に支持されるとともに、写真、絵画等を挟み込んで支持することが可能な透明体および裏板を備えており、透明体と裏板の間に写真、絵画等を挟み込むことにより額に写真、絵画等を支持し、その後この額を壁等に掛けることにより、写真、絵画等を所望する箇所に飾ることを可能としている。
【０００３】
ここで、従来から一般的に用いられている額について図面を参照して説明すると、図６は従来から用いられている額に絵画等を装着した状態の縦断側面を示す端面図であり、図において３１が従来の額である。
【０００４】
そして、この従来から用いられている額３１では、長尺状のフレーム材を、多角形状、より具体的には四角形状に枠組みしたフレーム３２を備えており、このフレーム３２は、裏面における内周側全域に載置棚部３２０１が形成されているとともに、この載置棚部３２０１に周縁部が載置される配置において、前記フレーム３２内には透明体３３が係止されている。
【０００５】
また、透明体３３の裏面には、透明体３３とほぼ同一の形状寸法を有する裏板３４が重ねられており、この裏板３４は、その裏面において、前記フレーム３２の裏面に回動自在に備えた、「トンボ」と呼ばれる係止部材３６によって支持されており、これにより、前記フレーム３２内には透明体３３及び裏板３４が係止されている。
【０００６】
そして、使用に際しては、透明体３３及び裏板３４によって絵画、写真等３５を挟み込んだ状態において、透明体３３、絵画、写真等３５、および裏板３４を前記フレーム３２内に係止し、この状態で、額３１を壁等に引っ掛け、これにより写真、絵画等を所望する箇所に装着して飾ることを可能としている。
【考案の開示】
【考案が解決しようとする課題】
【０００７】
ところで、額におけるフレーム部分は、額装した絵画、写真等とともに額全体のイメージを形成するものであるために、特に絵画、写真等を額装するために用いる額の場合には、フレーム部分に高級感を出し、これにより額装した絵画、写真をより良く見せることが行われるが、従来の額におけるフレームはフレーム素材をそのまま剥き出しのまま使用していたために、フレームに高級感を出すためには、高価な素材を用いなければならず、それによって額の価格が高くならざるを得ず、一方、安価なフレーム素材を用いた場合には高級感を出すことができないという欠点があった。
【０００８】
また、前述したように、従来の額ではフレームを剥き出しのままフレームとして使用していたために、特に木製のフレームの場合には、室内等の水分をフレームが吸収してしまい、それにより、フレームの曲がり、反りが生じるという問題点が指摘されていた。
【０００９】
更に、近年は集成材により形成したフレーム材をフレームの素材として用いることが多いが、周知の通り、集成材は木材チップ等を接着剤により接着して構成されており、特に接着剤よりホルムアルデヒドが放出されることが考えられ、これにより室内等に居る者に悪影響が及ぼされることが懸念される。
【００１０】
そこで、本考案は、価格を上げること無く高級感を出すことができるとともに、曲がり、反りも防止でき、更に環境にも配慮した額を提供することを課題としている。
【課題を解決するための手段】
【００１１】
本考案の額は、複数本の長尺状のフレーム材を略多角形状に枠組みすることにより形成されるフレームと、該フレーム内に支持される透明体と、該透明体の裏面側に重ね合わされる配置で前記フレーム内に支持される裏板と、を具備する額であって、
前記フレームは、フレーム本体と、該フレーム本体を被覆した樹脂フィルムとにより構成されることを特徴としている。
【考案の効果】
【００１２】
本考案の額では、フレームを、フレーム本体とこのフレーム本体を被覆した樹脂フィルムにより構成しているために、例えば木目調の樹脂フィルムを用いた場合には、フレーム素材に影響されずに木目調フレームとすることができ、これにより高級感のある額とすることができる。
【００１３】
また、フレーム本体を樹脂フィルムで被覆してフレームを構成しているために、この樹脂フィルムの効果により、フレームが室内等の水分を吸収することが無く、従って、フレームの曲がり、反り等が起こることもない。
【００１４】
更に、フレーム本体を樹脂フィルムで被覆してフレームを構成しているので、例えば集成材をフレーム素材として用いてフレーム本体を形成した場合でも、フレームから有害物質等が放出されることを有効に防止することができる。
【考案を実施するための最良の形態】
【００１５】
本考案の額では、長尺状のフレーム材を多角形状に枠組みすることによりフレームが形成されるとともに、このフレーム内には、透明体および裏板が係止されており、この透明体および裏板間に、写真、絵画等を挟み込むことを可能としている。そして、前記フレームは、フレーム本体と、このフレーム本体を被覆した樹脂フィルムとにより構成している。
【００１６】
ここで、前記樹脂フィルムとしては、ＰＰフィルム、ＰＥＴフィルム等を使用するとよく、これによれば、人体に悪影響を及ぼすことを防止できる。
【実施例１】
【００１７】
本考案の額の実施例について図面を参照して説明すると、図１は、本実施例の額を正面側から見た斜視図であり、また図２は、図１におけるＡ−Ａ線端面図であり、図において１が本実施例の額である。
【００１８】
そして、本実施例の額１は、図１に示すように、全体として略四角形状としている。即ち、本実施例の額１では、４本の長尺状のフレーム材を略四角形状に枠組みすることによりフレーム２が形成されており、このフレーム２内に、透明体５および裏板６が支持され、この透明体５と裏板６との間に、写真、絵画等を挟み込むとともに、前記フレーム２に回動自在に装着した係止部材７によって裏板６をフレーム２に係止することにより、額１の内周側に、写真、絵画等を装着可能としている。
【００１９】
ここで、前記フレーム２について説明すると、図２に示されるように、本実施例の額における前記フレーム２は、フレーム本体３とこのフレーム本体３の全面を被覆した樹脂フィルム４により構成されている。
【００２０】
即ち、本実施例においては、木、樹脂、集成材、金属、皮等により構成される長尺のフレーム素材を略四角形状に枠組みして構成されるフレーム本体３を備えており、このフレーム本体３の全面に、樹脂フィルムを、いわゆるオールラッピングしている。そして、これによりフレーム２を構成している。
【００２１】
このように、本実施例の額１では、フレーム本体３に樹脂フィルム４をオールラッピングしているため、例えば木目調の樹脂フィルムを用いることで、フレーム本体の素材にかかわらずフレーム２に高級感を出すことができるために、製造コストを上げること無く、高級感のある額を製造することが可能となる。
【００２２】
また、フレーム本体３を木製にした場合であっても、樹脂フィルム４の効果により、フレーム２が室内等の水分を吸収することが無く、従って、フレーム２の曲がり、反り等が起こることもない。
【００２３】
更に、集成材を用いてフレーム本体を形成した場合でも、樹脂フィルム４によりフレーム本体３をオールラッピングしているために集成材を製造するために用いられる接着剤から放出されるホルムアルデヒド等の有害物質が室内等に放出されることを有効に防止可能である。
【００２４】
なお、前記樹脂フィルム３の種類は特に限定されないが、ＰＰフィルム、ＰＥＴフィルム等の、有害物質等を放出しないものが好ましい。
【００２５】
次に、前記フレーム２には、前述の従来の額と同様に、その裏面において、内周側全域に亘って載置棚部３０１を形成しており、この載置棚部３０１上に、透明体５および裏板６の周縁部を載置している。
【００２６】
即ち、前記載置棚部３０１上に透明体５の周縁部を載置するとともに、この透明体５に重ね合わせるような配置で、裏板６の周縁部を前記載置棚部３０１上に載置して、更に、裏板６をとんぼ等の係止部材７でフレーム２に係止して、これによりフレーム２内に裏板５および透明体６を支持可能としている。そして、使用に際しては、透明体５と裏板６間に写真、絵画等を挟み込むことを可能としている。
【００２７】
次に、本実施例の額１の製造方法について説明すると、図３は、本実施例の額１における前記フレーム２を製造するためのモールディング１１である。即ち、一般的に額を製造する場合には、長手方向に向けた断面形状を略矩形状とした、全長約１メートル乃至３メートル程の長尺状のモールディング材１１を用いてフレーム２を形成するが、本実施例の額１を製造する場合には、まず、前記モールディング材１１の全面を樹脂フィルムにより、被覆、いわゆるオールラッピングをする。
【００２８】
なお、モールディング材１１の材質は特に限定はされないが、木製、金属製、樹脂製、又は皮製等が考えられ、更に木製の場合には無垢材、合板材、集成材等が考えられる。
【００２９】
次に、前記樹脂フィルムでオールラッピングしたモールディング材１１を任意の寸法で切断して４本のフレーム材を作る。即ち、図４に示すように、同一の長さ寸法とした２本のフレーム材を２セット作る。図４において、１１ａと１１ｂ、１１ｃと１１ｄがそれぞれ、同一寸法とした２本のフレーム材である。
【００３０】
次に、この合計４本のフレーム材１１ａ、１１ｂ、１１ｃ、１１ｄを、同一寸法のフレーム材が対向するような配置にして略四角形状に枠組みするとともに、適宜の方法でフレーム材を互いに連結し、これによって、四角形状のフレーム２を形成する。従って、前記フレーム材を製造する際には、両端部分を鋭角状にしておくとともに、四角形状に枠組みした際に内周側になる側の全域に載置棚部３０１を形成しておく。また、フレーム材の連結方法は特に限定されず、接着剤を用いた接着や、金具等を用いた連結等が考えられる。
【００３１】
次に、図５に示すように、前記形成したフレーム２における載置棚部３０１に周縁部が載置するような配置で、フレーム２の内周側に、フレーム２の内周側に収納可能な寸法の略四角形状とした透明体５を係止するとともに、透明体５とほぼ同一の形状及び寸法とした裏板６を、透明体５の裏面に重ね合わせる配置にしてフレーム２の内周側に係止する。そして、更に、ビス８によって前記フレーム２に回動自在に備えた係止手段７の先端部分によって、裏板６をフレーム２に係止する。そして、これにより図１に示す額縁１が完成し、透明体５と裏板６間に絵画、写真、賞状等の所望するものを挟み込み、この状態の額縁６を室内等の壁等に掛けることで、写真、絵画等を所望する箇所に飾ることが可能となる。
【００３２】
そしてこのとき、本実施例の額１では、樹脂フィルムでオールラッピングしたモールディング材１１を用いてフレーム２を形成しているために、高級感を出すことが可能な模様の樹脂フィルム３を用いることにより、モールディング材１１の素材に関係なく高級感のある額にすることができ、また、フレームが湿気等を吸収したり、フレームから有害物質等が放出されることを有効に防止することが可能である。
【００３３】
なお、前述の説明では、まずモールディング材を樹脂フィルムによりオールラッピングし、その後にこのモールディング材を切断してフレーム材を製造する方法について説明したが、本考案の額では、フレーム本体を樹脂フィルムにより被覆してフレームを構成してあればよく、必ずしも前記方法により製造する必要はない。従って、モールディング材を切断した後にフレーム材にオールラッピングをしてもよく、また、フレーム材を四角形状に枠組みしてフレームを形成した後にこのフレームに樹脂フィルムをオールラッピングしてもよい。
【産業上の利用可能性】
【００３４】
本考案の額では、フレームを樹脂フィルムでオールラッピングし、これによりフレーム素材に影響されずに高級感のある額にすることができるとともに、フレームが湿気等を吸収したり、フレームから有害物質等が放出されることを有効に防止することを可能としているため、とんぼ等の係止手段によって裏板をフレームに係止する、いわゆる一般的な額の他に、フレーム自体を回動して写真、絵画等を収納可能なフロントオープン式のパネル等にも適用可能である。
【図面の簡単な説明】
【００３５】
【図１】本考案の額の実施例の正面側斜視図である。
【図２】図１におけるＡ−Ａ線端面図である。
【図３】本考案の額の実施例におけるフレームの製造に用いるモールディング材である。
【図４】モールディング材を切断して製造したフレーム材である。
【図５】本考案の額の実施例の製造方法を説明するための分解図である。
【図６】従来の額を説明するための図である。
【符号の説明】
【００３６】
１    額
２    フレーム
３    フレーム本体
３０１    載置棚部
４    樹脂フィルム
５    透明体
６    裏板
７    係止部材（トンボ）
８    ビス
１１    モールディング材
１１ａ、１１ｂ、１１ｃ、１１ｄ    フレーム材
【図１】
0003105754.tif 000003
【図２】
0003105754.tif 000004
【図３】
0003105754.tif 000005
【図４】
0003105754.tif 000006
【図５】
0003105754.tif 000007
【図６】
0003105754.tif 000008